(57)【特許請求の範囲】
【請求項１】
施錠部材と、前記施錠部材を施錠及び解錠するための操作手段と、を有する施錠機構と、
前記施錠機構を内装する錠箱と、
前記施錠機構を操作するための押圧体と、前記押圧体を軸支する押圧体支持部材と、
前記押圧体の操作に連動して、前記施錠部材の施錠状態及び解錠状態を表示させる表示体と、前記表示体を支持する表示体支持部材と、を備え、
前記操作手段は、前記施錠部材と連動するアーム部材を有し、
前記各押圧体と前記アーム部材は、前記押圧体の支持軸に対する正逆方向の回転動作を、前記アーム部材の回動動作に変換し、前記施錠部材の施錠及び回動動作を切り替え可能となるように構成されており、
前記押圧体支持部材と、前記表示体支持部材により、建具本体の両側面から前記錠箱を挟持する錠前において、
前記押圧体支持部材及び前記表示体支持部材には嵌合凹部が設けられ、
前記各嵌合凹部には、別体で形成されている接合部材が着脱自在に嵌装されており、
前記押圧体支持部材又は前記表示体支持部材の前記嵌合凹部には、長さ方向に補強部材が設けられているとともに、
前記接合部材は、前記嵌合凹部と嵌合する嵌合体と、突出体とを有し、一面が閉塞されている蓋体が設けられていることを特徴とする錠前。
【請求項２】
前記接合部材の前記突出体及び前記嵌合凹部には、複数本の凹凸部が形成されており、前記各凹凸部が係合可能となるように形成されていることを特徴とする請求項１に記載の錠前。
【発明の詳細な説明】
【技術分野】
【０００１】
本発明は、引戸等の各種建具に用いられる錠前に関する。
【背景技術】
【０００２】
錠前は各種の建具に使用されているが、近時、引戸などにおいて、高齢者、身体障害者及び年少者など、力の弱い使用者でも操作が容易であるプッシュ式の錠前が使用されている。
【０００３】
例えば、図７に示すように、施錠機構を内装する錠箱１０’と、当該施錠機構２０’を操作するための操作部４０’と、使用状態を示す表示部６０’と、を備え、当該操作部４０’を操作することにより、上記施錠機構２０’と表示部６０’を動作させることが可能である引戸用錠前Ｊ’が存在している。
【０００４】
ところで、この引戸用錠前Ｊ’では、従来の引戸用錠前における押圧体と表示部を取り付ける際の煩雑さの改善及び取付ねじの紛失を防ぐこと等を目的として、対抗する取付部材を嵌合突起５０’，５１’とした構造としている（特許文献１参照）。
【先行技術文献】
【特許文献】
【０００５】
【特許文献１】特開２０１３−２４５４９３号公報
【発明の概要】
【発明が解決しようとする課題】
【０００６】
しかし、上記引戸用錠前Ｊ’では、取り付け後の接合の程度や、嵌合突起５０’，５１’の強度に改善の余地があることなどの課題を有していた。
【０００７】
本発明は、上記問題点を解決するためになされたものであり、簡易な構造であり、かつ、取り付け作業が容易であり、強度的にも優れた錠前を提供することを目的としている。
【課題を解決するための手段】
【０００８】
上記目的を達成するために発明された錠前（以下、「本錠前」という。）は、施錠部材と、上記施錠部材を施錠及び解錠するための操作手段と、を有する施錠機構と、上記施錠機構を内装する錠箱と、上記施錠機構を操作するための押圧体と、上記押圧体を軸支する押圧体支持部材と、上記押圧体の操作に連動して、上記施錠部材の施錠状態及び解錠状態を表示させる表示体と、上記表示体を支持する表示体支持部材と、を備え、上記操作手段は、上記施錠部材と連動するアーム部材を有し、上記各押圧体と上記アーム部材は、上記押圧体の支持軸に対する正逆方向の回転動作を、上記アーム部材の回動動作に変換し、上記施錠部材の施錠及び回動動作を切り替え可能となるように構成されており、上記押圧体支持部材と、上記表示体支持部材により、建具本体の両側面から上記錠箱を挟持する錠前において、上記押圧体支持部材及び上記表示体支持部材には嵌合凹部が設けられ、上記各嵌合凹部には、別体で形成されている接合部材が着脱自在に嵌装されていることを特徴としている。
【０００９】
本錠前によれば、嵌合凹部が設けられている押圧体支持部材と表示体支持部材において、上記各嵌合凹部に、別体で形成されている接合部材を嵌装することで、簡易な取り付け作業により、容易に両支持部材を一体とすることができる。また、強固な接合強度を有する構造とすることができる。
【００１０】
さらに、本錠前において、上記押圧体支持部材又は上記表示体支持部材の上記嵌合凹部には、長さ方向に補強部材が設けられているとともに、上記接合部材は、上記嵌合凹部と嵌合する基端部の嵌合体と、先端部の突出体とを有し、一面（上面又は下面）が閉塞されている蓋体が設けられていることとすることもできる。
【００１１】
ここで、嵌合体は、補強部材が存在することにより、嵌合することが阻害されないように構成されている必要があり、補強部材と嵌合する嵌合溝や、中空開口部等を有する構成とされている必要がある。
また、嵌合凹部と嵌合体とは、嵌合しやすいように所定の弾性を有する合成樹脂製であることが好適である。
【００１２】
本錠前によれば、嵌合凹部に補強部材が設けられているため、部材の剛性を高めることができる。また、上記接合部材には、上記嵌合凹部と嵌合する嵌合体を有し、一面が閉塞されている蓋体が設けられているため、両部材の嵌合時において、接合部材の上下の入れ替えを防止することができ、取付時における作業効率を向上させることができる。
また、嵌合体に関し、中空開口部を有する構成とすれば、嵌合凹部への嵌装を容易にすることができるとともに、部材の肉厚を薄くできるため好適である。
【００１３】
さらに、本錠前において、上記接合部材の上記突出体及び上記嵌合凹部には、複数本の凹凸部が形成されており、上記各凹凸部が係合可能となるように形成されている構成とするものであってもよい。
【００１４】
本錠前によれば、各凹凸部の係合作用により、接合部材の突出体を嵌合凹部に挿入することで強固な接合作用を発揮させることができるため、取り付け作業をさらに容易に行うことができる。
【発明の効果】
【００１５】
本発明によれば、簡易な構造、かつ、取り扱いが容易であり、所定の強度を有する錠前を提供することができる。
【図面の簡単な説明】
【００１６】
【図１】（ａ），（ｂ）ともに、本錠前を備えた上吊引戸を示す斜視図である。
【図２】本錠前の分解斜視図である。
【図３】解錠状態における本錠前の内部を示す側面図である。
【図４】施錠状態における本錠前の内部を示す側面図である。
【図５】本錠前の操作部を示す分解斜視図である。
【図６】本錠前の表示部を示す分解斜視図である。
【図７】従来の錠前を示す斜視図である。
【発明を実施するための形態】
【００１７】
以下、図面を参照しつつ、本錠前の一実施形態について、引戸用錠前（以下、「本引戸用錠前Ｊ」という。）を例として詳細に説明する。その際、下記の説明において、後記する施錠機構２０が動作している状態（鎌体２１が錠箱１０の外部に突出している状態）を施錠状態（図４）、施錠機構２０が動作していない状態（鎌体２１が錠箱１０の内部に収納されている状態）を解錠状態（図３）という。
【００１８】
また、後記する操作部４０は、引戸本体Ｈ（建具本体）の室内側に、表示部６０は室外側にそれぞれ設けられていることとし、加えて、下記の説明において、錠箱１０の内部の向きは、図３及び図４の向きに従う。
なお、図面に基づく説明においては、同一要素には同一符号を付し、重複する説明を省略する。
【００１９】
［全体構成］
図１に示すように、本引戸用錠前Ｊは、引戸本体Ｈの戸先側（図１（ａ）の右側）の端面における略中間高さに設けられており、当該引戸本体Ｈが取り付けられている引戸枠の縦枠の戸当り面には、上記引戸用錠前Ｊに対向して鎌体受具が設けられている（ともに、図示せず）。
【００２０】
引戸本体Ｈの戸先側の上記対応位置には、薄板形状の錠箱１０を収納するための中空部が形成されており、引戸本体Ｈの端面が開口している（以下、「端面開口部」という。）。また、引戸本体Ｈの室内側及び室外側の表面における当該中空部に対応する位置にも、開口部が形成されている（図示せず）。
【００２１】
図２に示すように、本引戸用錠前Ｊは、施錠機構２０と、引戸本体Ｈの室内側表面に設けられている施錠機構２０を動作させるための操作部４０と、引戸本体Ｈの室外側表面に設けられる表示部６０とを備えており、当該施錠機構２０は錠箱１０に収納されている。
【００２２】
[錠箱]
図２から図４に示されているように、 錠箱１０は、一面が開放されている変形六画形状の薄厚である箱本体１１と、開放部を塞ぐ細長の前面板１４により、組み立てられている。前面板１４は、箱本体１１の戸先側の端面に設けられており、上下端部１４ａ，１４ｂが、ねじ１９により、引戸本体Ｈに取り付けられることにより、端面開口部が閉塞されている。この前面板１４の中央部には、長手方向に鎌片出没孔１４ｃが、その下方にトリガ孔１４ｄが、それぞれ形成されている。
【００２３】
箱本体１１を構成する両側板１２における前面板１４から離反する方向（以下、前面板１４から離反する方向を「後方」という）の上方端部には、上から筒部挿通孔１２ａ、円孔１２ｂ、接合部材挿通孔１２ｃ（略楕円孔）が設けられている。また、筒部挿通孔１２ａの横には、スイッチピン第１挿通孔１２ｄ（長孔）が設けられており、当該筒部挿通孔１２ａの上部と側方部には、上方切欠き部１２ｅ及び側方切欠き部１２ｆが設けられている。なお、筒部挿通孔１２ａは、円孔と扇型孔を結合した形状となっている。
【００２４】
［施錠機構］
錠箱１０に収容されている施錠機構２０は、鎌体２１、クランクアーム３０（アーム本体）、付勢ばね２５及びトリガ３５を主要部としている。
【００２５】
鎌体２１は、鎌体本体２２と、当該鎌体本体２２からＬ状に延びる鎌片２３を有している。鎌体本体２２は、半円部２２ａと、略半円形状の周縁部の一部を切り欠くことにより形成されている凸部２２ｂを組み合わせた形状であり、当該鎌体本体２２は、錠箱１０の前面板１４に近接し、前面上部の隅各部にストップゴム３８が介装された状態で配置されている。そして、箱本体１１の側板１２によって、両端部が、鎌体本体２２の中心部において支持された支点軸１６を中心にして回動自在に軸支されている。これにより、解錠状態と施錠状態において、鎌片２３が鎌片出没孔１４ｃから突出する施錠状態と、錠箱１０の内部に収容される解錠状態とを切り替えることができるようになっている。
また、鎌体本体２２には、その解錠状態で支点軸１６から後斜め上方に向かって長孔２２ｃが形成されるとともに、略後方水平方向に、付勢ばね２５の連結部２２ｄが付設されている。
【００２６】
付勢ばね２５は、略く字形状のねじりコイルばねであり、コイル部２５ａが、箱本体１１の後下方隅角部に配置されている。そして、一端２５ｂが、コイル部２５ａの斜め上方に付設された連結片１８に連結され、他端２５ｃが鎌体本体２２の連結部２２ｄに掛止されることにより、クランクアーム３０を、常時、鎌体２１が解錠状態となる位置に回動付勢するように構成されている。
【００２７】
クランクアーム３０は、略へ字形状に形成されており、先端部の表面には係合ピン３０ａが突設され、基端部には円筒突部３１が突設されている。また、円筒突部３１に近接して、箱本体１１のスイッチピン第１挿通孔１２ｄに対応する位置に、長孔であるスイッチピン第２挿通孔３０ｂが設けられている。
【００２８】
円筒突部３１は、両端部にフランジ部を有しており、胴体部が、クランクアーム３０と一体となっている。一端のフランジ部は、その一部が切り取られている（以下、当該部分を「切取部３１ａ」という。）。
この円筒突部３１には、回動体３３が回動可能に軸装されている。この回動体３３の中央部には、後記する表示部６０の表示部軸５８が挿通されるための断面正方形形状の角孔３３ａが形成されている。また、回動体３３の周縁部には、径方向外向きに、係入凸部３３ｂが突設されている。この係入凸部３３ｂは、円筒突部３１の切取部３１ａから突出するように設けられており、当該切取部３１ａの範囲内でその回動体３３の回転移動が規制されるようになっている。
【００２９】
そして、係合ピン３０ａが、鎌体本体２２の長孔２２ｃに摺動可能となるように挿設されることにより、円筒突部３１の中央部を中心にして、後記操作スイッチ４１の押圧体４２の上下方向への回転に対応して、当該クランクアーム３０が時計回り及び反時計回りに回転することができるようになっている。
【００３０】
トリガ３５は、解錠状態における鎌片２３の下部において、先端部３５ａをトリガ孔１４ｄに向けた状態で箱本体１１の底板１３の上面にスライド自在に載置されている。そして、後端部に取り付けられているトリガばね３６により、常に、トリガ孔１４ｄから突出する方向に付勢されており、先端を押圧することにより、箱本体１１の内部に退出し、押圧状態が解除されることにより、箱本体１１の内部から突出するように、トリガ孔１４ｄから出没自在に設けられている。
【００３１】
また、トリガ３５の先端部３５ａに直交する上方向には、制動部３５ｂが設けられている。この制動部３５ｂは、解錠状態において、鎌片２３の下端縁部と接触することにより、当該鎌片２３が施錠方向に回動することを規制し、その先端が錠箱１０内に収納され、解錠状態を保持して鎌片出没孔１４ｃから突出することが防止されている。
【００３２】
このような構成により、引戸本体Ｈの閉止時には、トリガ３５の先端部３５ａが引戸枠の縦枠の戸当り面に突き当り、トリガばね３６に抗し規制解除位置にスライド移動すると、制動部３５ｂが鎌片２３の下面から退避して、鎌片２３に対する接触状態が解除され、当該鎌片２３の回動が許容されるようになっている。
【００３３】
［操作部］
図２及び図５に示すように、操作部４０（操作手段）は、操作スイッチ４１と取付枠４６とを有している。操作スイッチ４１は、側面視でく字形状の金属製の押圧板４２（押圧体）と、中間高さ位置の水平部に並設されている２本のスイッチピン４３を備えており、水平軸４４を支軸として、取付枠４６（押圧体支持部材）に軸支されている。
【００３４】
取付枠４６は、直方体形状である取付ケース４７を有している。取付ケース４７の中間高さ位置には、中央円孔４７ａと、その両側に長孔であるスイッチピン第３挿通孔４７ｂ、４７ｃが設けられている。
操作スイッチ４１の押圧板４２の２本のスイッチピン４３は、細長突出体であり、対応する各スイッチピン第３挿通孔４７ｂ，４７ｃに挿通され、一方のスイッチピン４３は、箱本体１１のスイッチピン第１挿通孔１２ｄと、クランクアーム３０のスイッチピン第２挿通孔３０ｂに挿通されている。他方のスイッチピン４３は、箱本体１１の側方側切欠き部１２ｆに位置している。
【００３５】
取付枠４６の取付ケース４７の後面には、両側の操作部４０により錠箱１０を支持するために、補助的に設けられている２本の支持体４９Ａ，４９Ｂ（４体の突出片により、略中空の円柱状となるように形成されている）が突設されている。下方の支持体４９Ｂは、箱本体１１の円孔１２ｂに挿通されており、上部の支持体４９Ａは、箱本体１１の上方側切欠き部１２ｅに位置している。
【００３６】
また、取付枠４６の取付ケース４７の後面の上下面には、凹溝体４８Ａ，４８Ｂ（嵌合凹部）が、開口面をそれぞれ上下に位置する向きで取り付けられている。各凹溝体４８Ａ，４８Ｂには、溝の幅方向の中央位置において、長さ方向に沿ってリブ４８ａ（補強部材）が設けられている。
【００３７】
［表示部］
図２及び図６に示すように、表示部６０は、取付座６１（表示体支持部材）、表示板６５（表示部）及び当該表示板６５の表面に被装されているカバー６６を主要部としている。
【００３８】
取付座６１は、四周の枠体部６２と、段状に形成されている薄板の長方形形状（正面視）である中央部６３と、背面に付設されている２つの凹溝体６４Ａ，６４Ｂ（嵌合凹部）を有している。中央部６３における中心部には、表示板取付部６３ａが形成されている。表示板取付部６３ａは、円形部と扇形部を組み合わせた形状で段状に形成されており、円形部の中央部には、円孔６３ｃが形成されている。
【００３９】
また、取付座６１の後方部における中央部の上下には、凹溝体６４Ａ，６４Ｂが、開口面をそれぞれ上下に位置する向きで取り付けられている。この凹溝体６４Ａ，６４Ｂの内壁面には、後記突出体５１Ａ，５１Ｂの凹凸部５１ａと歯合（係合）する凹凸部６４ａが形成されている。
【００４０】
表示板６５は、円形部と扇形部を組み合わせた略パイナップル形状に形成されており、扇形部は、弧の長さが三等分され、両側の赤色部６５ａと、中央の青色部６５ｂに色分けがされている。円形部の中央における表示板取付部６３ａの円孔６３ｃに対応する位置には、同じく円孔６５ｃが形成されている。表示板６５は、上記表示板取付部６３ａに嵌装され、この両円孔６３ｃ，６５ｃには、表示部軸５８が挿通されて、その表示部軸５８を回動軸として、回動自在に軸支されている。
【００４１】
表示部軸５８は角柱体であり、クランクアーム３０の回動体３３に形成された角孔３３ａ内に挿入されている。このため、クランクアーム３０が回動することに伴い、表示板取付部６３ａの扇形部の範囲で、表示部軸５８が回動するようになっている。
【００４２】
カバー６６は、取付座６１の中央部６３の段部に嵌合されており、表示板６５の扇形部の中央部において、一色の領域に対応する位置に、表示窓部６６ａが設けられている。この表示窓部６６ａからは、表示板６５の色が視認することができるようになっている。これにより、鎌体２１の鎌片２３が解錠状態にあるときには、表示板６５の扇形部の青色部６５ｂが表示窓６６ａの箇所に位置し、鎌体２１が施錠状態にあるときには、表示板６５の扇形部のいずれかの赤色部６５ａが表示窓部６６ａの箇所に位置するようになっている。
【００４３】
また、下記のとおり、操作部４０と表示部６０は、別体で形成されている上下の接合部材５０Ａ，５０Ｂにより、錠箱１０を挟んで一体となっている。
上記接合部材５０Ａ，５０Ｂは合成樹脂製であり、平面視で凸字形状、正面視で凹字形状に形成されている（以下、先端部を「突出体５１Ａ，５１Ｂ」、基端部を「嵌合体５２Ａ，５２Ｂ」（嵌合部）という。）。突出体５１Ａ，５１Ｂは二股形状（Ｕ字形状）であり、複数本の凹凸部５１ａが形成されている。また、嵌合体５２Ａ，５２Ｂは、正面視で凹字形状（門型形状）となっており、上面が閉塞されている蓋体に相当する上面部と、中空部を有している。
【００４４】
そして、上部においては、開口面を下向きにした状態で、下部においては、開口面を上向きにした状態で、嵌合体５２Ａ，５２Ｂが操作部４０の取付ケース４７の凹溝体４８に嵌装されている。また、突出体５１Ａ，５１Ｂが、取付座６１の凹溝体６４Ａ，６４Ｂに挿設されている。
【００４５】
［本引戸用錠前の取付方法］
続いて、本引戸用錠前Ｊの引戸本体Ｈへの取付方法について説明する。
まず、錠箱１０の前面板１４の上下端部１４ａ，１４ｂを引戸本体Ｈの戸先側の端面に取り付ける。
次に、操作部４０における 操作スイッチ４１の押圧板４２の２本のスイッチピン４３を、取付ケース４７のスイッチピン第３挿通孔４７ｂ、４７ｃに挿通する。そして、一方のスイッチピン４３を、箱本体１１のスイッチピン第１挿通孔１２ｄと、クランクアーム３０のスイッチピン第２挿通孔３０ｂに挿通し、他方のスイッチピン４３を、箱本体１１の側方側切欠き部１２ｆに位置させる。
【００４６】
また、取付ケース４７の後面における上部の支持体４９Ａを、箱本体１１の上方側切欠き部１２ｅに位置させ、下部の支持体４９Ｂを、円孔１２ｂに挿通する。さらに、表示部６０における表示部軸５８をクランクアーム３０の回動体３３における角孔３３ａ内に挿入する。
【００４７】
そして、上部の接合部材５０Ａの嵌合体５２Ａを、開口面を下向きにした状態で、取付ケース４７の凹溝体４８Ａに嵌入し、突出体５１Ａを支持枠６１の凹溝体６４Ａに挿入する。
【００４８】
また、下部の接合部材５０Ｂを、箱本体１１の接合部材挿通孔１２ｃに挿通し、開口面を上向きにした状態で、嵌合体５２Ｂを取付ケース４７の凹溝体４８Ｂに嵌入し、突出体５１Ｂを取付座６１の凹溝体６４Ｂに挿入する。
【００４９】
以上により、錠箱１０が、操作部４０及び表示部６０によって、挟持された状態で、引戸本体Ｈに取り付けられることになる。
【００５０】
［本引戸用錠前の効果］
上記のように、本引戸用錠前Ｊによれば、操作部４０における取付枠４６と表示部６０における取付座６１の凹溝体４８Ａ，４８Ｂ，６４Ａ，６４Ｂに、別体で形成されている接合部材５０Ａ，５０Ｂを嵌装することにより、容易に取り付けることができる。
【００５１】
また、本引戸用錠前Ｊによれば、取付枠４６の凹溝体４８Ａ，４８Ｂにリブ４８ａが設けられており、上記接合部材５０Ａ，５０Ｂは、上記凹溝体４８Ａ，４８Ｂと嵌合する凹字形状の嵌合体５２Ａ，５２Ｂを有している。そのため、両部材の嵌合時において、接合部材５０Ａ，５０Ｂの上下を取り違えた場合には、リブ４８ａの存在により嵌合が不可能となるため、接合時の入れ替えを防止することができ、作業効率を向上させることができる。
加えて、凹溝体４８Ａ，４８Ｂのリブ４８ａの作用により、所定の剛性を保持しながら、部材の肉厚を薄く形成することができる。
【００５２】
また、上記接合部材５０Ａ，５０Ｂは合成樹脂製であり、突出体５１Ａ，５１Ｂの先端は二股形状であるため、凹溝体４８Ａ，４８Ｂに嵌装する際に、先端部が適度に弾性変形することにより、容易に嵌入作業を行うことができる。また、結合部材５０Ａ，５０Ｂと凹溝体６４Ａ，６４Ｂの各凹凸部５１ａの係合作用により、簡単な挿入操作で強固な接合作用を発揮させることができる。
【００５３】
以上、本発明について、好適な実施形態についての一例を説明したが、本発明は当該実施形態に限られず、本発明の趣旨を逸脱しない範囲で適宜設計変更が可能である。
【００５４】
特に、本錠前は、引戸に用いることが特に好適であるため、引戸に取り付ける場合を例として説明してきた。しかし、その技術的思想は、引戸のみに限定して適用されうるものでなく、各種建具における錠前としても使用することができる。
【００５５】
また、押圧体支持部材及び表示体支持部材における嵌合凹部の材料、形態及び接合部材の材料形態等についても、制限はない。
また、本実施形態では、操作部の嵌合凹部（凹溝体）に補強部材（リブ）を設ける構造として、表示部の嵌合凹部に別体の結合部材を嵌装する場合を説明した。しかし、本錠前は、表示部の嵌合凹部に補強部材を設ける構造として、操作部の嵌合凹部に別体の結合部材を嵌装するものであってもよい。
【００５６】
さらに、錠箱、施錠機構における各要素に関し、本発明の要部以外の細部の構成要素（形状、材質、配置等）に関しては、従来技術の各構成要素を利用することができる。
【符号の説明】
【００５７】
Ｊ      引戸用錠前
Ｈ      引戸本体（建具本体）
１０    錠箱
１１    箱本体
１２    側板
２０    施錠機構
２１    鎌体（施錠部材）
２２    鎌体本体
２３    鎌片
３０    クランクアーム（アーム部材）
３５    トリガ
４０    操作部（操作手段）
４１    操作スイッチ
４２    押圧板（押圧体）
４６    取付枠（押圧体支持部材）
４８Ａ，４８Ｂ    凹溝体（嵌合凹部）
４８ａ  リブ（補強部材）
５０Ａ，５０Ｂ    接合部材
５１Ａ，５０Ｂ    突出体
５１ａ  凹凸部
５２Ａ，５２Ｂ    嵌合体（嵌合部）
６０    表示部
６１    取付座（表示体支持部材）
６２    枠体部
６４Ａ，６４Ｂ    凹溝体（嵌合凹部）
６４ａ  凹凸部
６５    表示板（表示体）
【図１】
0006559026.tif 000002
【図２】
0006559026.tif 000003
【図３】
0006559026.tif 000004
【図４】
0006559026.tif 000005
【図５】
0006559026.tif 000006
【図６】
0006559026.tif 000007
【図７】
0006559026.tif 000008